(57)【要約】【課題】施工コストを安価に抑えることが可能であると共に、衛生設備取り付け用フレームを根太上に正確に配置することが可能な衛生設備取り付け用フレームの設置構造を提供する。【解決手段】大引き２，２間に木製の根太３が架設され、この木製の根太３上に、床材３０を間に挟まずに直接にフレーム１０が載置され、ボルト２０で固定されている。フレーム１０の前面側に洋風便器１が取り付けられる。【選択図】図１
2007309051.tif 000002
【特許請求の範囲】
【請求項１】
衛生設備室の床から衛生設備取り付け用フレームを立設した衛生設備取り付け用フレームの設置構造において、
該衛生設備取り付け用フレームを、木製の根太に対し、床材を挟み込むことなく直接に固定したことを特徴とする衛生設備取り付け用フレームの設置構造。
【請求項２】
請求項１において、該衛生設備取り付け用フレームが固定される前記根太の側面及び／又は下面に、補強部材が設けられていることを特徴とする衛生設備取り付け用フレームの設置構造。
【請求項３】
請求項１又は２において、前記根太を上下方向に貫通するボルトにより、前記衛生設備取り付け用フレームが該根太に固定されていることを特徴とする衛生設備取り付け用フレームの設置構造。
【発明の詳細な説明】
【技術分野】
【０００１】
本発明は、衛生設備室の床面から衛生設備取り付け用フレームを立設するための、衛生設備取り付け用フレームの設置構造に関する。
【背景技術】
【０００２】
衛生設備室の床面から衛生設備取り付け用フレームを立設し、このフレームに便器や手洗い装置等の衛生設備を取り付けることが周知である。
【０００３】
この衛生設備取り付け用フレームの設置構造として、特開平２−１０１８８３号公報には、室の土台を構成する大引間に、床面支持用の木製根太とは別に、便器取り付け位置に合わせて金属角パイプ製根太を架設し、この金属角パイプ製根太上に便器取り付け用の縦フレームを設置した便器取り付け構造が記載されている。
【０００４】
同号公報の便器取り付け構造では、縦フレームを設置する前にこれらの根太上に床面を形成する。この際、該金属角パイプ製根太から上方へ突出するようにボルトを設けると共に、床面のうち該ボルトに重なる部分には該ボルト挿通用の大径孔を設けておき、この大径孔を通して床上面側にボルトを突出させる。縦フレーム設置時には、根太上に形成された床面に縦フレームを載置し、この床面から突出したボルトにより、該床材を介して縦フレームを金属角パイプ製根太に固定する。
【特許文献１】特開平２−１０１８８３号公報
【発明の開示】
【発明が解決しようとする課題】
【０００５】
上記特開平２−１０１８８３号公報の便器取り付け構造にあっては、縦フレームを設置するために金属角パイプ製根太を設けているため、施工コストが嵩む。また、この金属角パイプ製根太上に床面を形成してから縦フレームを設置するので、縦フレーム設置時には金属角パイプ製根太を視認できず、縦フレームを該金属角パイプ製根太上に正確に配置するのが容易ではない。
【０００６】
本発明は、施工コストを安価に抑えることが可能であると共に、衛生設備取り付け用フレームを根太上に正確に配置することが可能な衛生設備取り付け用フレームの設置構造を提供することを目的とする。
【課題を解決するための手段】
【０００７】
本発明（請求項１）の衛生設備取り付け用フレームの設置構造は、衛生設備室の床から衛生設備取り付け用フレームを立設した衛生設備取り付け用フレームの設置構造において、該衛生設備取り付け用フレームを、木製の根太に対し、床材を挟み込むことなく直接に固定したことを特徴とするものである。
【０００８】
請求項２の衛生設備取り付け用フレームの設置構造は、請求項１において、該衛生設備取り付け用フレームが固定される前記根太の側面及び／又は下面に、補強部材が設けられていることを特徴とするものである。
【０００９】
請求項３の衛生設備取り付け用フレームの設置構造は、請求項１又は２において、前記根太を上下方向に貫通するボルトにより、前記衛生設備取り付け用フレームが該根太に固定されていることを特徴とするものである。
【発明の効果】
【００１０】
本発明（請求項１）の衛生設備取り付け用フレームの設置構造にあっては、衛生設備取り付け用フレームを、木製の根太に対し、間に床材を挟み込むことなく直接に固定している。即ち、本発明では、金属角パイプ製根太を用いていないので、該金属角パイプ製根太を用いた場合に比べて施工コストを安価に抑えることが可能である。また、フレームを設置するに当っては、根太とフレームとの間に床材が存在せず、これによりフレーム設置作業者は根太を視認しながら設置作業を行うことができるため、フレームを根太上に正確に配置することが可能である。
【００１１】
請求項２のように、この根太の側面及び／又は下面に補強部材を設けることにより、木製の根太をより頑丈なものとすることができる。
【００１２】
請求項３のように、この根太を上下方向に貫通するボルトによってフレームを根太に固定することにより、根太の床上荷重に対する強度を徒に低下させることなく、しっかりとフレームを根太に固定することができる。
【発明を実施するための最良の形態】
【００１３】
以下に、図面を参照して本発明の実施の形態について説明する。
【００１４】
第１図は実施の形態に係る衛生設備取り付け用フレームの設置構造を示す、床材敷設前のトイレルーム内の斜視図、第２図は第１図のフレーム固定部付近の拡大斜視図、第３図は根太の下側から見たフレーム固定部付近の斜視図、第４図は第３図のIV−IV線に沿う断面図、第５図は床材敷設後のトイレルーム内の斜視図、第６図は施工完了後のトイレルーム内の斜視図である。
【００１５】
この実施の形態では、衛生設備室はトイレルームであり、衛生設備は洋風便器１である。以下の説明において、前後左右とは、この洋風便器１に着座した便器使用者にとっての前後左右である。
【００１６】
第１図に示すように、トイレルームの土台を構成する大引２，２間に複数本の木製の根太３が互いに平行に架設されている。この木製の根太３上に、洋風便器取り付け用フレーム１０が設置されている。
【００１７】
この実施の形態では、隣り合う１対の根太３，３に跨ってフレーム１０が配置されている。なお、図示の通り、この実施の形態では、いずれの箇所の根太３，３同士の間隔も該フレーム１０の横幅と略同等となっているが、根太３の配置はこれに限定されるものではなく、フレーム１０を支持する１対の根太３，３同士の間隔のみがフレーム１０の横幅と略同等であり、他の箇所の根太３，３同士の間隔はこれと異なっていてもよい。このフレーム１０を支持する根太３は、既設のものであってもよく、別途フレーム１０支持用として新設されたものであってもよい。
【００１８】
該フレーム１０は、この実施の形態では、略方形枠状のロワフレーム１１と、該ロワフレーム１１の四隅からそれぞれ立設されたピラー部１２と、該ピラー部１２の上端部同士を連結する略方形枠状のアッパーフレーム１３とを有した直方体形状のものである。
【００１９】
ロワフレーム１１の左右の前後方向延在部１１ａには、それぞれ、このフレーム１０を根太３に固定するためのボルト２０が挿通されるボルト挿通孔１１ｂが設けられている。なお、第４図に示すように、この実施の形態では、各前後方向延在部１１ａに、該前後方向に間隔をおいて２個のボルト挿通孔１１ｂが設けられているが、ボルト挿通孔１１ｂの個数及び配置はこれに限定されない。各ボルト挿通孔１１ｂは、左右方向に延在する長孔状となっている。
【００２０】
フレーム１０が設置される各根太３にも、それぞれ、これらのボルト挿通孔１１ｂと重なり合う位置関係にて、各根太３を上下方向に貫通するボルト挿通孔３ａが設けられている。
【００２１】
フレーム１０の前面側の左右のピラー部１２には、それぞれ、便器取り付け片１２ａが設けられており、この便器取り付け片１２ａに対し、洋風便器１がボルト（図示略）等の固定具により固定される。なお、この実施の形態では、該洋風便器１はいわゆる壁掛けタイプのものであり、トイレルームの床面から若干上方へ浮いた状態でフレーム１０の前面から前方へ張り出すように、該便器取り付け片１２ａに取り付けられる。
【００２２】
このフレーム１０の上部には、便器洗浄、お尻洗浄等に用いられる水や温水を貯留するためのタンク１４が収容される。また、このフレーム１０内には、該タンク１４への給水管や給湯管、該タンク１４から洋風便器１への給水管、該洋風便器１からの排水管、該排水管内が負圧になることを防止するための負圧破壊装置、オーバーフロー管等（洋風便器１及びタンク１４以外は符号略。）が配設される。このフレーム１０の前面上部には、洋風便器１にタンク１４から便器洗浄水を供給するためのフラッシュレバー１５が配置される。
【００２３】
このフレーム１０を設置するに当っては、第１〜４図のように、根太３上に床材３０（第５，６図）を敷設していない状態にて、該根太３上に直にフレーム１０を載置する。そして、ロワフレーム１１の各ボルト挿通孔１１ｂ及びこれと重なる根太３の各ボルト挿通孔３ａにそれぞれボルト２０を挿通し、このボルト２０にナット２１を締め込む。これにより、フレーム１０が根太３に対し直接に（両者の間に床材３０を挟まずに）固定される。
【００２４】
なお、洋風便器１、タンク１４並びに各配管等のフレーム１０への取り付け作業は、それぞれ、フレーム１０を根太３上に設置してから行ってもよく、フレーム１０を根太３上に設置する前に行ってもよい。
【００２５】
この実施の形態では、フレーム１０を根太３に固定し、洋風便器１、タンク１４並びに各配管等の該フレーム１０への取り付け作業も終了した後、第５図のように、根太３上に床材３０を敷設する。ただし、本発明においては、先にフレーム１０設置予定領域（並びに必要に応じその周辺部）を空けて根太３上に床材３０を敷設しておき、後から、この空いているフレーム１０設置予定領域にフレーム１０の下部を入り込ませるようにして該フレーム１０を根太３に直接固定するようにしてもよい。
【００２６】
その後、第６図のように、フレーム１０を覆うようにカバー４０を装着する。これにより、床面から洋風便器取り付け用フレーム１０が立設され、該フレーム１０に洋風便器１が取り付けられたトイレルームの施工作業が完了する。
【００２７】
この実施の形態の洋風便器取り付け用フレーム１０の設置構造にあっては、洋風便器取り付け用フレーム１０を、木製の根太３に対し、間に床材３０を挟み込むことなく直接に固定している。即ち、この洋風便器取り付け用フレーム１０の設置構造では、金属角パイプ製根太を用いていないので、該金属角パイプ製根太を用いた場合に比べて施工コストを安価に抑えることが可能である。また、フレーム１０を設置するに当っては、根太３とフレーム１０との間に床材３０が存在せず、これによりフレーム設置作業者は根太３を視認しながら設置作業を行うことができるため、フレーム１０を根太３上に正確に配置することが可能である。
【００２８】
本発明においては、フレーム１０が設置される根太３に補強部材を設けてもよい。第７〜９図は、それぞれ、根太３に補強部材を設けた構成例を示す、根太３のフレーム固定部付近の拡大斜視図である。
【００２９】
第７図の実施の形態では、フレーム１０が設置される根太３の一方の側面に、該根太３の側面と略等幅で且つ該根太３の延在方向に所定長さにわたって延在する帯板状の補強部材５０が取り付けられている。なお、この実施の形態では、補強部材５０はビス５１により根太３に固着されているが、補強部材５０の根太３への取り付け方法はこれに限定されない（第８，９図の実施の形態においても同様。）。根太３の双方の側面に補強部材５０が取り付けられてもよい。
【００３０】
第８図の実施の形態では、フレーム１０が設置される根太３の下面に、該根太３の下面と略等幅で且つ該根太３の延在方向に所定長さにわたって延在する帯板状の補強部材５０Ａが取り付けられている。この補強部材５０Ａには、根太３の各ボルト挿通孔３ａと重なり合う位置関係にてボルト挿通孔（図示略）が設けられており、ボルト２０は、このボルト挿通孔を通って補強部材５０Ａの下面側に突出し、ボルト２１締めされている。
【００３１】
第９図の実施の形態では、第７図の補正部材５０と第８図の補強部材５０Ａとを一体化した如きＬ字形の補強部材５０Ｂが設けられている。即ち、この補強部材５０Ｂは、根太３の一方の側面と下面とに跨って設けられている。
【００３２】
これらの補強部材５０，５０Ａ，５０Ｂの材質に特に制限はないが、例えば、鉄、アルミ等の金属板や、カーボンファイバー、グラスファイバー等を含有した繊維強化樹脂などを用いることができる。
【００３３】
このように補強部材５０，５０Ａ，５０Ｂにより根太３を補強することにより、木製の根太３をより頑丈なものとすることができる。
【００３４】
なお、補強部材の構成は上記のものに限定されない。例えば、本発明においては、根太３の一方の側面と下面とに加え、さらに他方の側面にまで連続するコ字形の補強部材が設けられてもよい。第７図の補強部材５０と第８図の補正部材５０Ａの双方を用いて根太３の各側面と下面とをそれぞれ補強するようにしてもよい。
【００３５】
上記の実施の形態では、衛生設備として洋風便器１をフレーム１０に取り付けているが、本発明においては、洋風便器以外の衛生設備、例えば手洗い装置やシャワー装置等がフレーム１０に設けられてもよい。また、複数の衛生設備（同一種類であってもよく、異なる種類であってもよい。）がフレーム１０に取り付けられてもよい。
【００３６】
第１０，１１図は、フレーム１０に洋風便器１と手洗い装置４とを取り付けた構成例を示す、トイレルーム内の斜視図である。なお、第１０図は洋風便器１側から見た図であり、第１１図は手洗い装置４側から見た図である。また、第１０，１１図においては、フレーム１０はカバー４０によって覆われた状態にて図示されている。
【００３７】
この実施の形態では、フレーム１０の前面側に洋風便器１が取り付けられ、これと反対側（後面側）に手洗い装置４が取り付けられている。
【００３８】
詳しい図示は省略するが、この実施の形態では、フレーム１０の後面側の左右のピラー部１２，１２間に、所定高さにて手洗い装置取り付け片が架設され、この手洗い装置取り付け片に、取り付け金具を介して手洗い装置４が取り付けられている。
【００３９】
もちろん、洋風便器１や手洗い装置４以外の衛生設備をフレーム１０に取り付けることも可能である。フレーム１０の前面及び後面だけでなく、左右の側面にも衛生設備を取り付けることができる。
【００４０】
上記の実施の形態はいずれも本発明の一例であり、本発明は上記の各実施の形態に限定されるものではない。
【００４１】
例えば、衛生設備取り付け用フレームの形状は、直方体状以外の形状（例えば円柱状など）とすることも可能である。
【図面の簡単な説明】
【００４２】
【図１】実施の形態に係る衛生設備取り付け用フレームの設置構造を示す、床材敷設前のトイレルーム内の斜視図である。
【図２】図１のフレーム固定部付近の拡大斜視図である。
【図３】根太の下側から見たフレーム固定部付近の斜視図である。
【図４】図３のIV−IV線に沿う断面図である。
【図５】床材敷設後のトイレルーム内の斜視図である。
【図６】施工完了後のトイレルーム内の斜視図である。
【図７】根太に補強部材を設けた構成例を示す、根太のフレーム固定部付近の斜視図である。
【図８】根太に補強部材を設けた別の構成例を示す、根太のフレーム固定部付近の斜視図である。
【図９】根太に補強部材を設けたさらに別の構成例を示す、根太のフレーム固定部付近の斜視図である。
【図１０】フレームに洋風便器と手洗い装置とを取り付けた構成例を示す、トイレルーム内の斜視図である。
【図１１】図１０と反対側から見た、トイレルーム内の斜視図である。
【符号の説明】
【００４３】
１  洋風便器
２  大引
３  根太
３ａ  ボルト挿通孔
４  手洗い装置
１０  フレーム
１１  ロワフレーム
１１ｂ  ボルト挿通孔
１２  ピラー部
１２ａ  洋風便器取り付け片
１３  アッパーフレーム
１４  タンク
２０  ボルト
２１  ナット
３０  床材
４０  カバー
５０，５０Ａ，５０Ｂ  補強部材
【図１】
2007309051.tif 000003
【図２】
2007309051.tif 000004
【図３】
2007309051.tif 000005
【図４】
2007309051.tif 000006
【図５】
2007309051.tif 000007
【図６】
2007309051.tif 000008
【図７】
2007309051.tif 000009
【図８】
2007309051.tif 000010
【図９】
2007309051.tif 000011
【図１０】
2007309051.tif 000012
【図１１】
2007309051.tif 000013